(57)【要約】      （修正有）【課題】直流バスの電圧を安定した所定の電圧に保ちながら、電力を出力可能な電力源の中で優先度の最も高いものに優先的に電力を出力させる直流給電システムを提供する。【解決手段】直流給電システム１は、直流バス１００の一方の端から他方の端に向けて優先度の高い順に直流バスに接続されており、直流電力を直流バスに出力する複数の電力源１０、２０、３０を備える。優先度が２番目以下の各電力源２０、３０が、電力を供給する電力供給装置２１、３１と、電力供給装置によって出力される電力を所定の電圧の直流電力に変換するコンバータ２２、３２と、直流バスの電圧を検出する電圧センサ２６、３６と、直流バスにおいて優先度の高い電力源から流れてくる電流の有無を検出する電流センサ２７、３７と、コンバータによって変換された直流電力を直流バスに出力する電力出力部２３、３３と、を有する。【選択図】図１
2019193438.tif 000002
【特許請求の範囲】
【請求項１】
直流バスの一方の端から他方の端に向けて優先度の高い順に当該直流バスに接続されており、直流電力を当該直流バスに出力する複数の電力源を備え、
優先度が２番目以下の前記各電力源が、
電力を供給する電力供給装置と、
前記電力供給装置によって出力される電力を所定の電圧の直流電力に変換するコンバータと、
前記直流バスの電圧を検出する電圧センサと、
前記直流バスにおいて優先度の高い電力源から流れてくる電流の有無を検出する電流センサと、
前記電圧センサによって検出された直流バスの電圧が前記所定の電圧よりも低いとき、および当該直流バスの電圧が前記所定の電圧以上であり、かつ前記電流センサによって電流無しと検出されたときに、前記コンバータによって変換された直流電力を前記直流バスに出力する電力出力部と、
を有する、
ことを特徴とする直流給電システム。
【請求項２】
前記電力出力部が、
前記コンバータと前記直流バスの間に配置されたスイッチと、
前記電圧センサによって検出された電圧と前記電流センサによって検出された電流の有無とに応じたＰＷＭ制御により前記スイッチを開閉する駆動部と、
を有することを特徴とする請求項１に記載の直流給電システム。
【請求項３】
最も優先度の高い電力源が、
風力発電機と、
前記風力発電機によって出力される交流電力を直流電力に変換するＡＣ／ＤＣコンバータと、
前記ＡＣ／ＤＣコンバータによって出力される直流電圧が前記所定の電圧よりも高いときに当該直流電力を消費する電力消費装置と、
を有する、
ことを特徴とする請求項１または２に記載の直流給電システム。
【請求項４】
充電終止電圧が前記所定の電圧と同一である蓄電池を備えることを特徴とする請求項１ないし３のいずれか１項に記載の直流給電システム。
【請求項５】
前記直流バスの電圧を検出する電圧センサと、外部の電力系統の交流電力を前記蓄電池の放電終止電圧と同一の電圧の直流電力に変換するＡＣ／ＤＣコンバータを含む系統連係部と、当該電圧センサによって検出された直流バスの電圧が前記蓄電池の放電終止電圧よりも低いときに当該系統連係部によって変換された直流電力を前記直流バスに出力する電力出力部とを有する系統連係装置を備えることを特徴とする請求項１ないし４のいずれか１項に記載の直流給電システム。
【請求項６】
前記直流バスを複数備え、当該複数の直流バスがそれぞれ前記他方の端において基幹直流バスに接続されていることを特徴とする請求項１ないし５のいずれか１項に記載の直流給電システム。
【発明の詳細な説明】
【技術分野】
【０００１】
本発明は、直流電力を供給する直流給電システムに関する。
【背景技術】
【０００２】
特許文献１には、太陽光発電装置、風力発電装置、水力発電装置、潮力発電装置または太陽熱発電装置のように自然再生エネルギーを利用した発電装置、燃料電池、エンジン式発電装置、または蓄電池等の複数の電力源がＡＣ／ＤＣ（交流／直流）コンバータやＤＣ／ＤＣ（直流／直流）コンバータを介して直流バスに接続される直流給電システムが記載されている。この直流給電システムでは、直流バスが安定した所定の電圧となるように、各電力源に接続されたＡＣ／ＤＣコンバータとＤＣ／ＤＣコンバータが制御される。
【先行技術文献】
【特許文献】
【０００３】
【特許文献１】特開２０１２−９５４１８号公報
【発明の概要】
【発明が解決しようとする課題】
【０００４】
発電コストを抑えるには、燃料電池やエンジン式発電装置によって発電される電力、および商用交流の電力系統から供給される電力よりも、自然再生エネルギーを利用した発電装置によって発電される電力を優先的に使用することが望ましい。
また、風力発電ユニットは強風時に止めると風車が破壊されるおそれがあるため、その電力を優先的に出力させることが望ましい。水力発電装置も水車の破壊を防ぐため、できるだけ電力を優先的に出力させるのが望ましい。
【０００５】
しかし、特許文献１には、直流バスの電圧を安定した所定の電圧に保ちながら、優先度に応じて電力源から電力を出力させることについて記載されていない。
【０００６】
本発明の目的は、直流バスの電圧を安定した所定の電圧に保ちながら、電力を出力可能な電力源の中で優先度の最も高いものに優先的に電力を出力させることができる直流給電システムを提供することである。
【課題を解決するための手段】
【０００７】
上記目的を達成するために、本発明の直流給電システムは、
直流バスの一方の端から他方の端に向けて優先度の高い順に当該直流バスに接続されており、直流電力を当該直流バスに出力する複数の電力源を備え、
優先度が２番目以下の前記各電力源が、
電力を供給する電力供給装置と、
前記電力供給装置によって出力される電力を所定の電圧の直流電力に変換するコンバータと、
前記直流バスの電圧を検出する電圧センサと、
前記直流バスにおいて優先度の高い電力源から流れてくる電流の有無を検出する電流センサと、
前記電圧センサによって検出された直流バスの電圧が前記所定の電圧よりも低いとき、および当該直流バスの電圧が前記所定の電圧以上であり、かつ前記電流センサによって電流無しと検出されたときに、前記コンバータによって変換された直流電力を前記直流バスに出力する電力出力部と、
を有する、
ことを特徴とする。
【０００８】
好ましくは、本発明の直流給電システムは、
前記電力出力部が、
前記コンバータと前記直流バスの間に配置されたスイッチと、
前記電圧センサによって検出された電圧と前記電流センサによって検出された電流の有無とに応じたＰＷＭ制御により前記スイッチを開閉する駆動部と、
を有することを特徴とする。
【０００９】
好ましくは、本発明の直流給電システムは、
最も優先度の高い電力源が、
風力発電機と、
前記風力発電機によって出力される交流電力を直流電力に変換するＡＣ／ＤＣコンバータと、
前記ＡＣ／ＤＣコンバータによって出力される直流電圧が前記所定の電圧よりも高いときに当該直流電力を消費する電力消費装置と、
を有する、
ことを特徴とする。
【００１０】
好ましくは、本発明の直流給電システムは、
充電終止電圧が前記所定の電圧と同一である蓄電池を備えることを特徴とする。
【００１１】
好ましくは、本発明の直流給電システムは、
前記直流バスの電圧を検出する電圧センサと、外部の電力系統の交流電力を前記蓄電池の放電終止電圧と同一の電圧の直流電力に変換するＡＣ／ＤＣコンバータを含む系統連係部と、当該電圧センサによって検出された直流バスの電圧が前記蓄電池の放電終止電圧よりも低いときに当該系統連係部によって変換された直流電力を前記直流バスに出力する電力出力部とを有する系統連係装置を備えることを特徴とする。
【００１２】
好ましくは、本発明の直流給電システムは、
前記直流バスを複数備え、当該複数の直流バスがそれぞれ前記他方の端において基幹直流バスに接続されていることを特徴とする。
【発明の効果】
【００１３】
本発明によれば、直流バスの電圧を安定した所定の電圧に保ちながら、電力を出力可能な電力源の中で優先度の最も高いものに優先的に電力を出力させることができる。
【図面の簡単な説明】
【００１４】
【図１】本発明の第１の実施形態に係る直流給電システムの構成の一例を示す図である。
【図２】電力消費装置の構成の一例を示す図である。
【図３】本発明の第２の実施形態に係る直流給電システムの構成の一例を示す図である。
【図４】本発明の第３の実施形態に係る直流給電システムの構成の一例を示す図である。
【発明を実施するための形態】
【００１５】
以下、本発明の実施形態に係る直流給電システムについて図面を参照しながら詳細に説明する。なお、実施形態を説明する全図において、共通の構成要素には同一の符号を付し、繰り返しの説明を省略する。
【００１６】
図１は、本発明の第１の実施形態に係る直流給電システム１の構成の一例を示す。
直流給電システム１は、風力発電装置１０と、太陽光発電装置２０と、エンジン式発電装置３０と、系統連係装置４０と、蓄電池５０と、直流バス１００、ダイオード５１とを有する。
直流バス１００は、低電位ラインＬＬと高電位ラインＬＨとを有する。低電位ラインＬＬの電圧は、基準電位である。高電位ラインＬＨの電圧は、基準電位に対して高電位の直流電圧であり、安定した一定の電圧に保たれる。低電位ラインＬＬと高電位ラインＬＨの電圧は、例えば、それぞれ０Ｖ（接地電位）と４００Ｖである。または、低電位ラインＬＬと高電位ラインＬＨの電圧は、例えば、それぞれ−２００Ｖと＋２００Ｖであってもよい。直流バス１００の電圧は、高電位ラインＬＨの電圧と低電位ラインＬＬの電圧との電位差である。従って、直流バス１００の電圧は、安定した所定の電圧（例えば、４００Ｖ）に保たれる。なお、直流バス１００の電圧は固定されていることが理想的であるが、負荷の接続や開放、発電機の出力電圧の変動等により、負荷が正常に動作可能な所定の電圧範囲で変動することは許容される。例えば、負荷の開放等により過渡的に所定の電圧（例えば、４００Ｖ）を超える場合がある。
蓄電池５０の充電終止電圧は、例えば、上述した直流バス１００の所定の電圧（例えば、４００Ｖ）である。
ダイオード５１は、負荷５２の側から電流が逆流することを防止する。ダイオード５１は、必ずしも無くてもよい。
直流バス１００には、複数の負荷５２が接続される。負荷５２は、例えば、テレビ、冷蔵庫、冷暖房、コンピュータ、照明、住宅、工場等である。
【００１７】
直流給電システム１は、複数の電力源を有する。各電力源は、直流バス１００の一方の端から他方の端に向けて優先度の高い順に直流バス１００に接続される。
直流給電システム１において、最も優先度の高い電力源は、その電力源に含まれる発電装置が電力を出力可能である場合には、無条件で直流電力を直流バス１００に出力する。
また、直流給電システム１において、優先度が２番目以下の各電力源は、直流バス１００の電圧が所定の電圧（例えば、４００Ｖ）よりも低いときには、直流電力を直流バス１００に出力する。そして、これらの各電力源は、直流バス１００の電圧が所定の電圧（例えば、４００Ｖ）以上であり、かつより優先度の高い電力源から電流が流れてこないときにも、直流電力を直流バス１００に出力する。
従って、直流給電システム１では、最も優先度の高い電力源は、無条件で直流電力を直流バス１００に出力することができる。その電力源が電力を出力できないときには、電力を出力可能な電力源の中で優先度の最も高いものが優先的に電力を出力することができる。
風力発電装置１０と太陽光発電装置２０とエンジン式発電装置３０とは、本発明の電力源の例である。
【００１８】
風力発電装置１０は、風力発電機１１と、ＡＣ／ＤＣコンバータ１２と、電力消費装置１３と、ダイオード１４とを有する。風力発電装置１０は、優先度が最も高い。風力発電装置１０は、直流バス１００の一方の端に接続される。
風力発電機１１は、通常の一般的な風力発電機である。ＡＣ／ＤＣコンバータ１２は、風力発電機１１によって出力される交流電力を直流電力に変換する。
風力発電機１１は、風車の停止や回転速度の低下等が起きた場合、電力の出力を停止する。また、風力発電機１１は、出力制御により電力の出力を停止する。
【００１９】
電力消費装置１３は、風力発電機１１の電気式ブレーキとして動作する。電力消費装置１３は、ＡＣ／ＤＣコンバータ１２によって出力される直流電圧が所定の電圧（例えば、４００Ｖ）よりも高いときに、直流電力を消費する。電力消費装置１３は、例えば、図２に示すように、抵抗素子１３１と、スイッチ１３２と、駆動部１３３とを含む。抵抗素子１３１は、例えば、一端がスイッチ１３２を介して高電位ラインＬＨに接続され、他端が低電位ラインＬＬに接続されている。スイッチ１３２は、例えば、ＮＭＯＳトランジスタ等の半導体スイッチング素子で実現することができる。ＡＣ／ＤＣコンバータ１２によって出力される直流電圧が所定の電圧（例えば、４００Ｖ）より高いときに、駆動部１３３はＰＷＭ（Ｐｕｌｓｅ  Ｗｉｄｔｈ  Ｍｏｄｕｌａｔｉｏｎ）制御によりスイッチ１３２を開閉する。このとき、抵抗素子１３１は直流電力を消費する。
また、風力発電装置１０は、機械式ブレーキを有していてもよい。風力発電機１１の出力電力が電力消費装置１３によって消費できる電力の限界を超え、ＡＣ／ＤＣコンバータ１２によって出力される直流電圧が所定の電圧を超えた場合には、機械式ブレーキにより風力発電機１１の出力電力を減少させることができる。
ダイオード１４は、風力発電機１１の出力電圧が低いとき、および風力発電機１１の出力が停止しているときに、直流バス１００から電流が逆流することを防ぐ。
【００２０】
太陽光発電装置２０は、太陽電池２１と、ＤＣ／ＤＣコンバータ２２と、電力出力部２３と、電圧センサ２６と、電流センサ２７とを有する。太陽光発電装置２０は、優先度が２番目である。太陽光発電装置２０は、優先度が最も高い風力発電装置１０に隣接して直流バス１００に接続される。
太陽電池２１は、本発明の電力供給装置の例である。
ＤＣ／ＤＣコンバータ２２は、太陽電池２１の直流出力を所定の電圧（例えば、４００Ｖ）に昇圧または降圧する。電圧センサ２６は、直流バス１００の電圧を検出する。電流センサ２７は、優先度の高い電力源から流れてくる電流の有無、すなわち風力発電装置１０から流れてくる電流の有無を検出する。
電力出力部２３は、電圧センサ２６によって検出された直流バス１００の電圧が所定の電圧（例えば、４００Ｖ）よりも低いとき、および直流バス１００の電圧が所定の電圧以上であり、かつ電流センサ２７によって電流無しと検出されたときに、ＤＣ／ＤＣコンバータ２２によって変換された直流電力を直流バス１００に出力する。
具体的には、電力出力部２３は、スイッチ２４と駆動部２５とを有する。スイッチ２４は、ＤＣ／ＤＣコンバータ２２と直流バス１００の間に配置されている。スイッチ２４は、例えば、ＮＭＯＳトランジスタ等の半導体スイッチング素子で実現することができる。駆動部２５は、電圧センサ２６によって検出された電圧と電流センサ２７によって検出された電流の有無とに応じたＰＷＭ制御によりスイッチ２４を開閉する。
【００２１】
エンジン式発電装置３０は、エンジン式発電機３１と、ＡＣ／ＤＣコンバータ３２と、電力出力部３３と、電圧センサ３６と、電流センサ３７とを有する。エンジン式発電装置３０は、優先度が３番目である。エンジン式発電装置３０は、優先度が２番目である太陽光発電装置２０に隣接して直流バス１００に接続される。
エンジン式発電機３１は、本発明の電力供給装置の例である。
ＡＣ／ＤＣコンバータ３２は、エンジン式発電機３１によって出力される交流電力を所定の電圧（例えば、４００Ｖ）の直流電圧に変換する。電圧センサ３６は、直流バス１００の電圧を検出する。電流センサ３７は、優先度の高い電力源から流れてくる電流の有無、すなわち風力発電装置１０および／または太陽光発電装置２０から流れてくる電流の有無を検出する。
電力出力部３３は、電圧センサ３６によって検出された直流バス１００の電圧が所定の電圧（例えば、４００Ｖ）よりも低いとき、および直流バス１００の電圧が所定の電圧以上であり、かつ電流センサ３７によって電流無しと検出されたときに、ＡＣ／ＤＣコンバータ３２によって変換された直流電力を直流バス１００に出力する。
具体的には、電力出力部３３は、スイッチ３４と駆動部３５とを有する。スイッチ３４は、ＡＣ／ＤＣコンバータ３２と直流バス１００の間に配置されている。スイッチ３４は、例えば、ＮＭＯＳトランジスタ等の半導体スイッチング素子で実現することができる。駆動部３５は、電圧センサ３６によって検出された電圧と電流センサ３７によって検出された電流の有無とに応じたＰＷＭ制御によりスイッチ３４を開閉する。
【００２２】
系統連係装置４０は、系統連係部４１と、電力出力部４３と、電圧センサ４６とを有する。
電力系統２００は、直流給電システム１の外部の商用の交流電力系統である。系統連係部４１は、電力系統２００の交流電力を直流電力に変換するＡＣ／ＤＣコンバータを含む。変換された直流電力の電圧は、蓄電池５０の放電終止電圧と同一である。電圧センサ４６は、直流バス１００の電圧を検出する。
電力出力部４３は、電圧センサ４６によって検出された直流バス１００の電圧が蓄電池５０の放電終止電圧よりも低いときに、系統連係部４１によって変換された直流電力を直流バス１００に出力する。
具体的には、電力出力部４３は、スイッチ４４と駆動部４５とを有する。スイッチ４４は、ＡＣ／ＤＣコンバータと直流バス１００の間に配置されている。スイッチ４４は、例えば、ＮＭＯＳトランジスタ等の半導体スイッチング素子で実現することができる。駆動部４５は、電圧センサ４６によって検出された電圧に応じたＰＷＭ制御によりスイッチ４４を開閉する。
【００２３】
本実施形態に係る直流給電システム１では、風力発電装置１０は優先的に無条件で直流電力を直流バス１００に出力することができる。そして、風力発電装置１０が出力を停止しているとき、太陽光発電装置２０は優先的に無条件で直流電力を直流バス１００に出力することができる。更に、風力発電装置１０と太陽光発電装置２０が出力を停止しているとき、エンジン式発電装置３０は無条件で直流電力を直流バス１００に出力することができる。
【００２４】
図３は、本発明の第２の実施形態に係る直流給電システム２の構成の一例を示す。
直流給電システム１は、直流バス１００と、直流バス１０１と、基幹直流バス１１０とを有する。
基幹直流バス１１０は、低電位ラインＭＬと高電位ラインＭＨとを有する。低電位ラインＭＬの電圧は、直流バス１００の低電位ラインＬＬと同様に、基準電位である。高電位ラインＭＨの電圧は、直流バス１００の高電位ラインＬＨと同様に、基準電位に対して高電位の直流電圧である。
直流バス１０１は、直流バス１００と同様に、低電位ラインＬＬと高電位ラインＬＨとを有する。直流バス１００と直流バス１０１は、それぞれ他方の端においてダイオード５１を介して基幹直流バス１１０に接続されている。
また、基幹直流バス１１０には、蓄電池７０と、複数の負荷７１が接続される。負荷７１は、例えば、テレビ、冷蔵庫、冷暖房、コンピュータ、照明、住宅、工場等である。
【００２５】
直流バス１００には、風力発電装置１０と、太陽光発電装置２０と、エンジン式発電装置３０と、系統連係装置４０と、蓄電池５０とが接続されている。この構成は、第１の実施形態に係る直流給電システム１の構成と同一である。
直流バス１０１には、太陽光発電装置６０と、エンジン式発電装置３０と、蓄電池５０とが接続されている。
エンジン式発電装置３０および蓄電池５０は、第１の実施形態にかかるエンジン式発電装置３０および蓄電池５０と同一の構成である。ただし、エンジン式発電装置３０の優先度は、直流バス１０１に接続されている電力源の中で２番目である。
【００２６】
太陽光発電装置６０は、太陽電池６１と、ＤＣ／ＤＣコンバータ６２と、ダイオード６３とを有する。太陽光発電装置６０は、本発明の電力源の一例である。太陽光発電装置６０は、第１の実施形態にかかる太陽光発電装置２０と異なり、直流バス１０１に接続されている電力源の中で優先度が最も高い。太陽光発電装置６０は、直流バス１０１の一方の端に接続される。
ＤＣ／ＤＣコンバータ６２は、太陽電池６１の直流出力を所定の電圧（例えば、４００Ｖ）に昇圧または降圧し、直流バス１００に出力する。
ダイオード６３は、太陽電池６１の出力電圧が低いとき、および太陽電池６１の出力が停止しているときに、直流バス１００から電流が逆流することを防ぐ。
【００２７】
なお、第２の実施形態では、直流バス１００と直流バス１０１とが基幹直流バス１１０に接続されている例を示したが、３つ以上の直流バスが基幹直流バス１１０に接続されていてもよい。
【００２８】
図４は、本発明の第３の実施形態に係る直流給電システム３の構成の一例を示す。
直流給電システム３は、風力発電装置１０と、太陽光発電装置２０と、エンジン式発電装置３０と、蓄電装置８０と、系統連係装置９０と、直流バス１００、ダイオード５１とを有する。
直流給電システム３は、蓄電装置８０と系統連係装置９０とが本発明の電力源の例である点が第１の実施形態に係る直流給電システム１と異なる。風力発電装置１０と、太陽光発電装置２０と、エンジン式発電装置３０と、直流バス１００と、ダイオード５１との構成は、第１の実施形態に係る直流給電システム１に含まれるものと同一である。
【００２９】
蓄電装置８０は、蓄電池８１と、ＤＣ／ＤＣコンバータ８２と、電力出力部８３と、電圧センサ８６と、電流センサ８７とを有する。蓄電装置８０は、優先度が４番目である。蓄電装置８０は、優先度が３番目であるエンジン式発電装置３００に隣接して直流バス１００に接続される。
蓄電池８１は、本発明の電力供給装置の例である。
ＤＣ／ＤＣコンバータ８２は、蓄電池８１の直流出力を所定の電圧（例えば、４００Ｖ）に昇圧する。電圧センサ８６は、直流バス１００の電圧を検出する。電流センサ８７は、優先度の高い電力源から流れてくる電流の有無を検出する。
電力出力部８３は、電圧センサ８６によって検出された直流バス１００の電圧が所定の電圧（例えば、４００Ｖ）よりも低いとき、および直流バス１００の電圧が所定の電圧以上であり、かつ電流センサ８７によって電流無しと検出されたときに、ＤＣ／ＤＣコンバータ８２によって変換された直流電力を直流バス１００に出力する。
具体的には、電力出力部８３は、スイッチ８４と駆動部８５とを有する。スイッチ８４は、ＤＣ／ＤＣコンバータ８２と直流バス１００の間に配置されている。スイッチ８４は、例えば、ＮＭＯＳトランジスタ等の半導体スイッチング素子で実現することができる。駆動部８５は、電圧センサ８６によって検出された電圧と電流センサ８７によって検出された電流の有無とに応じたＰＷＭ制御によりスイッチ８４を開閉する。
なお、図４には示していないが、蓄電装置８０は、蓄電池８１を充電する充電回路を有する。充電回路は、ＤＣ／ＤＣコンバータ等を含み、蓄電池８１の電圧が充電終止電圧より低い場合に、直流バス１００の電圧を蓄電池８１の充電電圧に変換して蓄電池８１を充電する。
【００３０】
系統連係装置９０は、系統連係部４１と、電力出力部９３と、電圧センサ９６と、電流センサ９７とを有する。系統連係装置９０は、優先度が５番目である。系統連係装置９０は、優先度が４番目である蓄電装置８０に隣接して直流バス１００に接続される。
系統連係部４１は、第１の実施形態に係る直流給電システム１の系統連係装置４０に含まれるものと同一である。ただし、系統連係部４１におけるＡＣ／ＤＣコンバータを除いた部分は、本発明の電力供給装置に相当する。
電圧センサ９６は、直流バス１００の電圧を検出する。電流センサ９７は、優先度の高い電力源から流れてくる電流の有無を検出する。
電力出力部９３は、電圧センサ９６によって検出された直流バス１００の電圧が所定の電圧（例えば、４００Ｖ）よりも低いとき、および直流バス１００の電圧が所定の電圧以上であり、かつ電流センサ９７によって電流無しと検出されたときに、系統連係部４１によって変換された直流電力を直流バス１００に出力する。
具体的には、電力出力部９３は、スイッチ９４と駆動部９５とを有する。スイッチ９４は、ＡＣ／ＤＣコンバータと直流バス１００の間に配置されている。スイッチ９４は、例えば、ＮＭＯＳトランジスタ等の半導体スイッチング素子で実現することができる。駆動部９５は、電圧センサ９６によって検出された電圧と電流センサ９７によって検出された電流の有無とに応じたＰＷＭ制御によりスイッチ９４を開閉する。
【００３１】
なお、上述した実施形態では、本発明における電力源の例として風力発電装置１０と太陽光発電装置２０とエンジン式発電装置３０と蓄電装置８０と系統連係装置９０とを示したが、本発明における電力源はこれらに限られない。例えば、本発明は、電力源として、水力発電装置、潮力発電装置、地熱発電装置または燃料電池を含むことができる。
【００３２】
以上説明したように、本発明によれば、直流バスの電圧を安定した所定の電圧に保ちながら、電力を出力可能な電力源の中で優先度の最も高いものに優先的に電力を出力させることができる。
【００３３】
以上、本発明の実施形態について説明したが、設計または製造上の都合やその他の要因によって必要となる様々な修正や組み合わせは、請求項に記載されている発明や発明の実施形態に記載されている具体例に対応する発明の範囲に含まれる。
【符号の説明】
【００３４】
１，２…直流給電システム、１０…風力発電装置、１１…風力発電機、１２…ＡＣ／ＤＣコンバータ、１３…電力消費装置、１４…ダイオード、２０…太陽光発電装置、２１…太陽電池、２２…ＤＣ／ＤＣコンバータ、２３…電力出力部、２４…スイッチ、２５…駆動部、２６…電圧センサ、２７…電流センサ、３０…エンジン式発電装置、３１…エンジン式発電機、３２…ＡＣ／ＤＣコンバータ、３３…電力出力部、３４…スイッチ、３５…駆動部、３６…電圧センサ、３７…電流センサ、４０…系統連係装置、４１…系統連係部、４３…電力出力部、４４…スイッチ、４５…駆動部、４６…電圧センサ、５０…蓄電池、５１…ダイオード、５２…負荷、６０…太陽光発電装置、６１…太陽電池、６２…ＤＣ／ＤＣコンバータ、６３…ダイオード、７０…蓄電池、７１…負荷、８０…蓄電装置、８１…蓄電池、８２…ＤＣ／ＤＣコンバータ、８３…電力出力部、８４…スイッチ、８５…駆動部、８６…電圧センサ、８７…電流センサ、９０…系統連係装置、９３…電力出力部、９４…スイッチ、９５…駆動部、９６…電圧センサ、９７…電流センサ、１００，１０１…直流バス、１１０…基幹直流バス、２００…交流の電力系統、ＬＨ…直流バスの高電位ライン、ＬＬ…直流バスの低電位ライン、ＭＨ…基幹直流バスの高電位ライン、ＭＬ…基幹直流バスの低電位ライン
【図１】
2019193438.tif 000003
【図２】
2019193438.tif 000004
【図３】
2019193438.tif 000005
【図４】
2019193438.tif 000006